(57)【特許請求の範囲】
【請求項１】
ＦＭ多重放送から多重データを復調するフレーム同期方式の自動切り換え動作を行うＦＭ多重放送の受信装置において、
受信周波数とその受信周波数に対応するフレーム同期方式に応じたフレーム構成情報を対にして記憶回路に有し、受信周波数が変更される受信周波数に対応したフレーム構成情報を読み出しフレーム同期回路に出力する制御回路と、
前記制御回路から出力されたフレーム構成情報に基づいたフレーム同期方式でフレーム同期を行うフレーム同期回路とを備え、
前記制御回路は、所定時間が経過した後、前記フレーム同期回路がＦＭ多重データのフレームに同期したか否かを確認し、同期したとの前記判定の結果を得た場合は、その時到来しているフレーム構成情報を、受信中の受信周波数と対応づけて前記記憶回路に記憶し、同期していないとの前記判定の結果を得た場合は、他のフレーム構成情報を順次前記フレーム同期回路に送出してフレーム同期方式を変更してフレーム周期を試み、前記フレーム周期回路がＦＭ多重データのフレームに同期したか否かを確認し、同期したとの前記判定の結果を得た場合は、その時到来しているデータ信号のフレーム構成情報を、受信中の受信周波数と対応づけて前記記憶回路に記憶することで、新たに同期する判定の結果が得られる様に、前記複数あるフレーム構成情報の中で同期するフレーム構成情報を選び出すことを特徴とするＦＭ多重放送の受信装置。
【請求項２】
前記制御回路は、
前記同期していないとの前記判定の結果を得た場合に、前記複数あるフレーム構成情報の中の１つのフレーム構成情報を、予め決められた順番で前記判定回路に出力し、いずれのフレーム構成情報に対応したフレーム同期方式でも同期しない場合は、同期可能とするフレーム構成情報がないことを示す第２情報を受信中の周波数と対応づけて前記記憶回路に記憶するとともに、
フレーム同期のとれるフレーム構成情報が未確認である場合には、未確認であることを示す第１情報を当該未確認の周波数と対応づけて前記記憶回路に記憶することで、
他の場合とは区別することを特徴とする請求項１記載のＦＭ多重放送の受信装置。
【発明の詳細な説明】
【０００１】
【発明の属する技術分野】
本発明はＦＭ放送にデータが多重されたＦＭ多重放送を受信するＦＭ多重放送の受信装置に関し、特に、フレーム同期方式の選択制御に関する。
【０００２】
【従来の技術】
一般に、ＦＭ放送に文字情報等を多重して放送するＦＭ多重放送が行われている。このＦＭ多重放送では、文字放送を符号化してＦＭステレオ放送に多重しており、現在では、ニュースや交通情報等の番組が放送されている。
現在、日本国内でＦＭ多重放送の本放送（商業放送）が行われている。このＦＭ多重によれば、多重データのフレーム構成は図４のように、２８８×２７２ビットのフレームとなり、基本的に１フレームの１ブロック（１フレーム中の１行）は、１６ビットのブロック識別コード（ＢＩＣ）、１７６ビットのデータパケット及び９６ビット誤り訂正符号（１４ビットのＣＲＣ、８２ビットの水平パリティ）から構成されているものと、１６ビットのＢＩＣ及び２７２ビットの誤り訂正符号（垂直パリティ）から構成されているものから成る。このフレーム構成は、ＩＴＵ（International Telecommunication Union：国際電気通信連合）の勧告により、「method B」と定義され、さらに、ITU勧告では「method B」の他に、それとフレーム構成が異なる「method A」、「method A'」及び「method C」の３種類のフレーム構成が定義されている。 その為、ＦＭ多重放送では、４種類のフレーム構成が国際標準規格となっている。
【０００３】
尚、「method A」、「method A'」及び「method C」のフレーム構成はそれぞれ図５、６及び７にようになる。「method A」のフレーム構成は、２８８×２７２ビットのフレームになり、一つのブロック構成は「method B」とそれぞれ同じだが、データパケットを含むブロックと誤り訂正符号のみを含むブロックとが区別されて配置されている。また、「method A'」のフレーム構成は、「method A」の誤り訂正符号のみを含む部分に１２ブロックの「REAL TIME INFORMATION BLOCK」が挿入されて構成されている。さらに、「method C」のフレーム構成は２８８ビットのデータパケットを含むブロックのみにより構成される。
【０００４】
【発明が解決しようとする課題】
現在は、日本でのみＦＭ多重放送が行われているが、今後は欧州や米国でもＦＭ多重放送が行われる予定がある。しかし、欧州では、今後広い意味での日本の方式によるＦＭ多重放送のサービスが行われる予定があるものの、欧州のＦＭ多重放送のフレーム構成は、日本で使用されているフレーム構成「method B」と異なり、「method A'」が採用される方向である。このように、ＦＭ多重放送が各地域で採用され、放送が行われたとしても、国や地域によりフレームが異なる可能性は十分にあり、さらに放送局によって採用されるフレーム構成が異なる可能性もある。その為、国、地域や放送局によってフレーム構成が異なる場合には、多重データのフレーム同期を行うフレーム同期回路の同期方式を切り換えが必要になる。
【０００５】
本発明は、受信放送局に応じて自動的に切り換えるＦＭ多重放送の受信制御装置を提供することを目的とする。
【０００６】
【課題を解決するための手段】
本発明は、ＦＭ多重放送から多重データを復調するＦＭ多重受信装置において、複数のフレーム同期手段を有し、前記複数のフレーム同期手段のうち１つのフレーム同期手段により前記多重データのフレーム同期を行うフレーム同期回路を備えるとともに、前記複数のフレーム同期手段のうち、同期可能とするフレーム同期手段を示す第１情報が受信周波数に対応して記憶される記憶手段と、により構成されることを特徴とする。
【０００７】
また、該当するフレーム同期手段がない場合、前記記憶手段に第１情報の代わりに該当するフレーム同期手段がないことを示す第２情報が記憶されることを特徴とする。
さらに、ＦＭ多重放送から多重データを復調するＦＭ多重受信装置において複数のフレーム同期手段を有し、前記複数のフレーム同期手段のうち１つのフレーム同期手段により前記多重データのフレーム同期を行うフレーム同期回路とを備えるとともに、前記複数のフレーム同期手段を順次選択する第１選択手段と、選択されたフレーム同期手段により多重データに同期しているか否かを判定する判定手段と、受信周波数に対応して判定結果を記憶する記憶手段と、により構成されることを特徴とする。
【０００８】
またさらに、フレーム同期していると判定された場合、前記記憶手段に同期可能とするフレーム同期手段を示す第１情報が記憶されることを特徴とする。
さらにまた、多重データが選択されたフレーム同期手段に同期しない場合、選択手段は次のフレーム同期手段を選択することを特徴とする。
また、ＦＭ多重放送がいずれのフレーム同期手段にも同期しない場合、該当するフレーム同期手段がないことを示す第２情報を前記記憶手段に記憶することを特徴とする。
【０００９】
さらに、ＦＭ多重放送の受信周波数に対応したフレーム構成情報を読み出す手段と、前記フレーム構成情報に基づいて、対応するフレーム同期手段に切り換える切換手段とを備えることを特徴とする。
またさらに、前記記憶手段は、受信周波数に対応して、前記第１情報または前記第２情報を記憶することを特徴とする。
【００１０】
また、前記受信装置はプリセットメモリ機能を有し、前記記憶手段はプリセットメモリの各領域に、前記領域の受信周波数に対応する前記第１情報または前記第２情報を記憶させることを特徴とする。
本発明によれば、複数のフレーム同期手段を順次選択し、選択されたフレーム同期手段が多重データに同期しているか否かを判定し、判定結果に応じて同期可能とする同期手段に対応する第１情報または同期する同期手段がないことを示す第２情報を記憶する。受信周波数のＦＭ多重データのフレーム同期を行う場合、受信周波数に対応するフレーム構成情報を読み出し、それに対応した同期手段を選択する。
【００１１】
【発明の実施の形態】
図１は本発明の実施の形態を示す回路である。１０１はＩＦ信号を出力するＦＭ同調用のフロントエンド回路、１０２はＩＦ信号をＦＭコンポジット信号に復調するＦＭ復調回路、１０３はコンポジット信号をステレオ信号に復調するＭＰＸ（マルチプレクス）回路、１０４はステレオ信号を増幅し、スピーカ１０５に出力するＡＦ増幅回路、１０６はＦＭ同調用フロントエンド回路１０１の同調周波数を決定するためのＰＬＬ周波数シンセサイザ回路、１０７はＦＭ多重データを復調するブロックであり、１０８は７６ＫＨｚを中心周波数とするバンドパスフィルタ、１０９は多重データを復調するＬ−ＭＳＫ復調回路、１１０は復調多重データのブロック同期を行うブロック同期回路、１１１は４つのフレーム同期方式を有しブロックデータのフレーム同期を行うフレーム同期回路、１１２はフレームが再構成されたデータに誤り訂正を行う誤り訂正回路、１１３は操作キー１１４によりＰＬＬ周波数シンセサイザ回路１０６を制御し同調周波数の変更を行う手段と、多重データの復号処理を行い、復号結果を表示ディスプレイ１１５に表示させる手段と、フレーム同期回路１１１のフレーム同期方式を切り換える切換信号F methodを出力する手段とを有する制御回路である。
【００１２】
図１において、受信ＲＦ信号はＦＭフロントエンド１０１内で発生する局部発振信号により所定周波数のＩＦ信号に周波数変換され、ＩＦ信号はＦＭ復調回路１０２でコンポジット信号に復調される。コンポジット信号のうちオーディオ信号成分はＭＰＸ回路１０３で左右ステレオ信号にステレオ復調される。左右ステレオ信号はＡＦ増幅回路１０４で増幅された後、スピーカ１０５に伝送される。
【００１３】
また、コンポジット信号中のＦＭ多重成分はＢＰＦ１０８を通過し、Ｌ−ＭＳＫ復調回路１０９で多重データに復調される。ブロック同期回路１１０でブロック毎に多重データの同期がとられた後、フレーム同期回路１１１でフレーム毎に多重データの同期がとられ、ブロック及びフレーム同期がとられた多重データは誤り訂正回路１１２で誤り訂正される。誤り訂正を受けたデータDATAは制御回路１１３で復号され、復号データに基づき文字情報及び図形情報がディスプレイ１１５に表示される。
【００１４】
ＦＭフロントエンド１０１は局部発振回路（図示せず）を含み、局部発振信号の周波数はＰＬＬシンセサイザー１０６からの周波数制御信号により変更されるとともに、局部発振信号はＰＬＬ周波数シンセサイザー１０６に出力される。局部発振回路はＰＬＬ周波数シンセサイザー１０６とともにＰＬＬを形成し、ＰＬＬシンセサイザー１０６にはＰＬＬの構成のうち基準信号を発生する基準発振回路、基準信号を分周するリファレンスディバイダ、局部発振信号を可変分周数で分周するプログラマブルディバイダ、上記２つのディバイダの出力を位相比較する位相比較回路及び位相比較回路の出力に応じて周波数制御信号を出力するループフィルタが構成される。尚、ＰＬＬについては周知の技術であるため動作説明は省略する。
【００１５】
操作キー１１４により設定された放送局を受信しようとする場合、まず、この放送局の受信周波数に対応する分周データN dataが制御回路１１３から出力される。分周データN dataに応じてプログラマブルディバイダの可変分周数が設定され、局部発振信号の周波数は上記放送局に対応した周波数になる。その結果、上記放送局の受信ＲＦ信号が所定周波数のＩＦ信号に変換され、放送局のオーディオ復調及び多重復調が行われる。このように、制御回路１１３はフロントエンド１０１の同調動作を制御する。
【００１６】
次に、図１のラジオ受信機のフレーム同期方式の自動切り換え動作を、図２のフローチャートに基づいて説明する。
操作キー１１４により受信周波数を変更しようとすると、分周データN dataが制御回路１１３から変更されて出力され、フロントエンド１０１の局部発振信号が変更され、受信周波数が希望周波数ｆ１に変更される（Ｓ１）。ところで、制御回路１１３には受信周波数とその受信周波数に対応するフレーム構成情報とが記憶される内部メモリ１１３ｍを有しており、例えば図３のような関係で内部メモリ１１３ｍに記憶されている。記憶の設定は例えば分周データをアドレスとする領域にフレーム構成情報が記憶されており、フレーム構成情報は情報があるときフレーム同期方式に応じてそれぞれ「method A」、「method A'」、「method B」及び「method C」となり、情報が未確認の時「no1」となり、該当するフレーム同期方式がないとき「no2」となる。制御回路１１３において、受信周波数がｆ１（「８７．８ＭＨｚ」：番号３）に変更されると、変更後の分周データをアドレスにして内部メモリ１１３ｍから受信周波数ｆ１に対応するフレーム構成情報が読み出される。例えば、「８７．８ＭＨｚ」（ｆ１）に変更すると「no1」の情報が読み出される。つまり、受信周波数ｆ１のフレーム構成情報は未確認の状態である。尚、受信周波数を「８７．９ＭＨｚ」（番号４）に変更した場合には「method A」の情報が読み出される（Ｓ２）。
【００１７】
次に、制御回路１１３において、フレーム構成情報の有るか否かが確認される。つまり、フレーム構成情報が「method A」〜「method C」である場合情報が有ると判断し、「no 1」または「no 2」の場合無しと判断される。例えば、受信周波数ｆ１「８７．９ＭＨｚ」のフレーム構成情報は「no1」であるため情報無しと判断される（Ｓ３）。
【００１８】
フレーム構成情報がない場合、現在の受信周波数ｆ１に変更する前の受信周波数ｆ０のフレーム構成情報を選択し、内部メモリ１１３ｍから読み出す。例えば変更前の受信周波数ｆ０を「８７．７ＭＨｚ」（番号２）とすると、受信周波数ｆ１のフレーム構成情報は「no1」であるため、フレーム構成情報は記憶されておらず、変更前の受信周波数ｆ０のフレーム構成情報を「method A'」を選択する（Ｓ４）。
【００１９】
また、Ｓ３において、フレーム構成情報があると判別された場合、受信周波数に対応するフレーム構成情報を選択する。本実施形態では「８７．８ＭＨｚ」を受信周波数ｆ１とするためＳ４に分岐して後述するＳ５に移行するが、例えば受信周波数ｆ１を「８７．９ＭＨｚ」（番号４）にする場合それに対応するフレーム構成情報「method A」が選択されてＳ５に移行する。
【００２０】
その後、制御回路１１３からフレーム同期回路１１１に、選択されたフレーム構成情報がF methodとして送出される。フレーム同期回路１１１において、F methodに応じてフレーム同期方式が変更され、フレーム同期検出が開始される。「８７．８ＭＨｚ」（ｆ１）の場合、変更前の受信周波数ｆ０のフレーム同期情報が選択されるため、フレーム同期方式は「method A'」となる（Ｓ５）。所定時間が経過した後、制御回路１１３はフレーム同期回路１１１がＦＭ多重データのフレームに同期したか否かを確認する。つまり、フレーム同期回路１１１は、ＦＭ多重データがF methodによって設定されたフレーム同期方式に同期すると、フレーム同期検出信号F lockを出力する。その為、制御回路１１３は所定時間経過後にフレーム同期検出信号F lockが入力されたか否かの確認を行う。よって、受信周波数ｆ１のＦＭ多重データのフレームが「method A'」のフレーム同期方式に同期するか否かが確認される（Ｓ６）。Ｓ６において、受信周波数ｆ１のＦＭ多重データのフレームが「method A'」のフレーム同期方式に同期する場合、制御回路１１３は内部メモリ１１３ｍ内の「８７．８ＭＨｚ」に対応するフレーム構成情報の領域に「no1」の代わりに「method A'」を書き込む。一方、書き込みの際、F methodは変更されないので、フレーム同期回路１１１のフレーム同期方式はF methodによってそのまま「method A'」となり、ＦＭ多重データは「method A'」でそのままフレーム同期される（Ｓ７）。
【００２１】
また、Ｓ６において、「８７．８ＭＨｚ」のＦＭ多重データがフレーム同期回路１１１のフレーム同期方式「method A'」に同期しなかった場合、制御回路１１３は他のフレーム構成情報を選択し、これに対応するF methodが出力される。フレーム構成情報を変更する際、例えば制御回路１１３はフレーム構成情報を「method A」→「method A'」→「method B」→「method C」→「method A」の順で変更する。よって、本実施形態では、フレーム同期回路１１１は「method A'」で同期できなかった場合、制御回路１１３はフレーム構成情報を「method B」に変更する（Ｓ８）。その後、制御回路１１３は「method A」〜「method C」の全ての情報を選択したかを判別する。つまり、変更されたフレーム構成情報が変更開始から一巡したか否かを判別する。例えば、受信周波数ｆ１において、「method A」から「method B」に変更した場合、「method B」が２回目の選択か否かを判別することにより、１巡の判別を可能にする。
【００２２】
制御回路１１３が全てのフレーム構成情報を選択していない場合、即ち、１回目の「method B」の選択の場合、Ｓ５及びＳ６に戻り、フレーム構成情報の変更によりF methodが変更され、さらにフレーム同期回路１１１のフレーム同期方式が「method B」に変更される。その状態で、受信周波数のＦＭ多重データが「method B」のフレーム同期方式で同期されるか否か判別され、同期していれば「８７．８ＭＨｚ」に対応するフレーム構成情報を「no1」から「method B」に書き換える。同期しなければ、フレーム構成情報をさらに次の情報を選択する。このようなフレーム構成情報の変更は、フレーム同期されるフレーム同期方式が見つかるまで、または、フレーム情報構成の変更が一巡するまで行われる。同期するフレーム同期方式が存在すれば、フレーム同期情報の領域に「method A」乃至「method C」の一つが書き込まれ、書き込まれたフレーム同期方式でＦＭ多重データの同期が行われる。
【００２３】
Ｓ９において、フレーム構成情報の変更が一巡しても、つまり、２回目の「method B」が選択されても、同期可能なフレーム同期方式が見つからなければ、制御回路１１３は、内部メモリ１１３内の「８７．８ＭＨｚ」に対応するフレーム構成情報の領域に、該当するフレーム同期方式がないことを示す「no2」が書き込まれる（Ｓ１０）。
【００２４】
以上の動作が終了すると、図３のメモリ１１３ｍのフレーム構成情報の領域には、「method A」〜「method C」及び「no2」のいずれか一つが書き込まれ、書き込まれたフレーム同期方式によってＦＭ多重データのフレーム同期が行われる。
また、図１の実施形態では、フレーム構成情報を、図３のように周波数チャンネルステップ毎の受信周波数に対応するフレーム構成情報の領域に記憶させているが、これに限らず、他の記憶方法でもフレーム構成情報の記憶が可能である。例えば、プリセットメモリ機能を有するラジオ受信機においてはプリセット記憶領域を利用する。このプリセット記憶領域中に、図８のようにプリセット、即ち、即座に呼び出したい受信周波数とともにそれに対応するフレーム構成情報の領域を作り、この領域にその受信周波数に対応するフレーム構成情報を記憶させる。
【００２５】
また、図９は図１の実施形態に係わる他のフローチャートであって、図２のフローチャートと異なる点は、「method A」〜「method C」のフレーム構成情報が存在する場合には、制御回路１１３からフレーム同期回路１１１に、読み出されたフレーム構成情報がF methodとして送出され、フレーム同期回路１１１の同期方式がF methodに応じて変更され、その状態でフレーム同期検出を開始させる（Ｓ１１）点にある。つまり、受信周波数に対応してフレーム構成が確定している場合は、その情報に対応して即座にフレーム同期方式を切り換えることができるので、無駄な処理を省くことができ、即座にＦＭ多重データの復号を行うことが可能になる。
【００２６】
図１０は、図１のフレーム同期回路１１１及び誤り訂正回路１１２の具体回路例を示すブロック図である。１２１は多重データ中に含まれるＢＩＣを検出するＢＩＣ検出回路、１２２は検出されたＢＩＣの変化点を検出する変化点検出回路、１２３は多重データのデータ数を１ブロックのデータ数分の２８８個カウントして、カウント完了すると完了信号を出力するデータカウンタ、１２４は完了信号をカウントすることによりブロック数をカウントするブロックカウンタ、１２５はフレーム構成中の所定の変化点を検出するとともに、ブロックカウンタ１２４のカウント値に基づき所定変化点の間のブロック数を検出することによりフレーム同期を検出するとともに、フレーム同期している最後尾のブロックを検出するとブロックカウンタをリセットするフレーム同期検出回路、１２６はライト・リードアドレス発生回路を含み、指定されたライト・リードアドレスに多重データが書き込み、読み出しされるメモリ、１２７はフレーム同期検出信号F lockに応じてフレームの先頭に先頭フラグをつけて多重データをメモリ１２６に記憶させるタイミング回路、１２８はメモリ１２６に記憶される多重データの誤り訂正を行う誤り訂正部である。誤り訂正部１２８は、メモリ１２６中の先頭フラグを検出し、先頭フラグが付されたブロックから始まる１つのフレームを誤り訂正する。
【００２７】
フレーム検出回路１２５は例えば多重データのフレーム構成が図４のフレーム構成「method B」の場合、所定の検出点、即ち、「BIC1→BIC3」、「BIC4→BIC2」、「BIC2→BIC3」、「BIC4→BIC1」及び「BIC1→BIC3」の変化点が順に繰り返されることを検出するとともに、上記それぞれの変化点の間のブロック数が１２３個、１３個、１２３個及び１３個となることを検出することによりフレーム同期を検出し、フレーム同期を検出するとフレーム同期検出信号F lockを出力する。  また、フレーム同期検出回路１２５にはF methodが印加され、このF methodによってフレーム同期手段が切り換わる。具体的には、フレーム構成に応じてF methodを変更することによってフレーム検出回路の構成が変化し、その結果、検出対象となる所定の変化点が変更され、繰り返される変化点の順番が変更される。さらに、変化点と変化点との間のカウントされるべき数が変更される。つまり、フレーム構成が「method A」の場合、フレーム検出回路１２５は「BIC3→BIC2」、「BIC2→BIC1」、「BIC1→BIC4」、「BIC4→BIC3」及び「BIC3→BIC2」の変化点を検出するとともに、その間のブロック数が７０個、６０個、８２個、６０個となることを検出するように変更される。また、フレーム構成が「method A'」の場合、フレーム検出回路１２５は「BIC3→BIC2」、「BIC2→BIC1」、「BIC1→BIC4」、「BIC4→BIC3」及び「BIC3→BIC2」の変化点を検出するとともに、その間のブロック数が７０個、６０個、９４個、６０個となることを検出するように変更される。さらに、「method C」の場合、１ブロックごとに「BIC3→BIC3」に検出するように変化される。以上述べた如く、F methodを変えることにより、多重データのフレーム構成に対応したフレーム同期手段を変更することが可能になる。
【００２８】
尚、多重データのメモリーへの記憶は、上記のように先頭のブロックに先頭フラグを付して行うことに限らず、フレーム同期検出信号F lockが発生すると、例えば、先頭アドレス等の所定アドレスから順にブロックを記憶させて行うことも可能である。その場合、誤り訂正部１２８は所定アドレスから始まる１つのフレームを誤り訂正する。
【００２９】
【発明の効果】
本発明によれば、受信周波数に対応してフレーム構成情報を記憶させておき、フレーム構成情報に応じてフレーム同期方式を切り換えるので、特別な制御端子や制御データを付加することなく、複数地域及び受信周波数に対応したフレーム同期方式を自動的に切り換えることができる。さらに、複数のフレーム構成が使用される可能性の有る地域、特に欧州向けのＦＭ多重受信装置に用いて好適である。
【００３０】
また、受信周波数に対応したフレーム構成情報を呼び出し、フレーム同期方式を選択するので、受信周波数を変更する毎に全てのフレーム同期方式でフレーム同期の検出を行う必要はなく、速やかにフレーム同期を確立することができる。さらに、フレーム構成情報のない受信周波数に対しては、多重データが選択されたフレーム同期方式に同期するか、非同期となるかを検出し、検出結果をフレーム構成情報を記憶するので、自動的にフレーム同期可能となるフレーム構成情報を自動的に探すことができる。
【図面の簡単な説明】
【図１】本発明の実施の形態を示すブロック図である。
【図２】図１の動作を示すフローチャートである。
【図３】図１のメモリ１１３ｍ中の受信周波数とフレーム構成情報と関係を示す関係図である。
【図４】フレーム構成「method B」を示す構成図である。
【図５】フレーム構成「method A」を示す構成図である。
【図６】フレーム構成「method A'」を示す構成図である。
【図７】フレーム構成「method C」を示す構成図である。
【図８】図１のメモリ１１３ｍ中のプリセットメモリ周波数とフレーム構成情報と関係を示す関係図である。
【図９】図１の動作を示す他のフローチャートである。
【図１０】図１のフレーム同期回路１１１と誤り訂正回路１１２との具体例を示すブロック図である。
【符号の説明】
１０１          ＦＭフロントエンド
１０２          ＦＭ復調回路
１０３          ＭＰＸ回路
１０４          ＡＦ増幅回路
１０５          スピーカ
１０６          ＰＬＬ周波数シンセサイザ
１０７          ＦＭ多重データの復調ブロック
１０８          ＢＰＦ
１０９          Ｌ−ＭＳＫ復調回路
１１０          ブロック同期回路
１１１          フレーム同期回路
１１２          誤り訂正回路
１１３          制御回路
１１４          操作キー
１１５          ディスプレイ
１２１          ＢＩＣ検出回路
１２２          変化点検出回路
１２３          データカウンタ
１２４          ブロックカウンタ
１２５          フレーム同期検出回路
１２６          メモリ
１２７          タイミング回路
１２８          誤り訂正部
【図１】
0003831483.tif 000002
【図２】
0003831483.tif 000003
【図３】
0003831483.tif 000004
【図４】
0003831483.tif 000005
【図５】
0003831483.tif 000006
【図６】
0003831483.tif 000007
【図７】
0003831483.tif 000008
【図８】
0003831483.tif 000009
【図９】
0003831483.tif 000010
【図１０】
0003831483.tif 000011